(57)【要約】【課題】  分岐接続等の作業を行う上での作業性向上を図ることのできるスロット型光ケーブルを得る。【解決手段】  スロットロッド１の外周に形成してあるスロット溝３に光ファイバテープ心線４を収容し、その状態でスロットロッド１の外周に外被６を形成してなるスロット型光ケーブルにおいて、前記外被６をスロット溝３を含むスロットロッド１の外周上に直接形成すると共に、スロット溝３の両側に対応した外被６上に、スロットロッド１の長手方向に延びる外被切り裂き用ノッチ８を設け、スロット溝３単位で外被６を除去可能とした。【選択図】    図１
2006003774.tif 000002
【特許請求の範囲】
【請求項１】
スロットロッドの外周に形成してあるスロット溝に光ファイバを収容し、その状態でスロットロッドの外周に外被を形成してなるスロット型光ケーブルにおいて、
前記スロット溝の両側に対応した前記外被上に、スロットロッドの長手方向に延びる外被切り裂き用ノッチを設け、スロット溝単位で外被を除去可能としたことを特徴とするスロット型光ケーブル。
【請求項２】
スロットロッドの外周に形成してあるスロット溝に光ファイバを収容し、その状態でスロットロッドの外周に外被を形成してなるスロット型光ケーブルにおいて、
前記外被を前記スロット溝を含むスロットロッドの外周上に直接形成してなることを特徴とするスロット型光ケーブル。
【請求項３】
スロットロッドの外周に形成してあるスロット溝に光ファイバを収容し、その状態でスロットロッドの外周に外被を形成してなるスロット型光ケーブルにおいて、
前記外被を前記スロット溝を含むスロットロッドの外周上に直接形成すると共に、前記スロット溝の両側に対応した前記外被上に、スロットロッドの長手方向に延びる外被切り裂き用ノッチを設け、スロット溝単位で外被を除去可能としたことを特徴とするスロット型光ケーブル。
【請求項４】
前記スロットロッドと外被を弾性率の比が２以上の同質樹脂で形成したことを特徴とする請求項１〜３のいずれかに記載のスロット型光ケーブル。
【請求項５】
前記外被上に、複数ある前記スロット溝のうちの任意のものの特定が可能な識別手段が形成されていることを特徴とする請求項１〜４のいずれかに記載のスロット型光ケーブル。
【請求項６】
前記スロット溝内の光ファイバの引き抜き力が５ｋｇ／ｍ以上に設定されていることを特徴とする請求項１〜５のいずれかに記載のスロット型光ケーブル。
【請求項７】
スロットロッドの外周に形成してあるスロット溝に光ファイバを収容し、その状態でスロットロッドの外周に外被を形成してなるスロット型光ケーブルの製造方法において、
前記スロット溝に光ファイバを収容すると同時に、スロット溝内部及びスロットロッド外面に熱可塑性樹脂を押し出して前記外被を形成することを特徴とするスロット型光ケーブルの製造方法。
【発明の詳細な説明】
【技術分野】
【０００１】
本発明は、スロットロッドの外周に形成してあるスロット溝に光ファイバを収容し、その状態でスロットロッドの外周に外被を形成してなるスロット型光ケーブル及びその製造方法に関するものである。
【背景技術】
【０００２】
通信用光ファイバケーブルとして、光ファイバ心線あるいは光ファイバテープ心線を複数本、スロットロッドの外周に形成してある複数のスロット溝の中にそれぞれ収納し、その外周に押さえテープを巻き付けた上で、さらに外被で覆った構造のスロット型光ケーブルが知られている（例えば、特許文献１参照）。
【０００３】
図４は従来のスロット型光ケーブルの一例を示す断面図である。図において、１はスロットロッド、２はその断面中心に配された抗張力体、３はスロットロッド１の外周に周方向間隔的に形成されたスロット溝、４は各スロット溝３の中に収容された光ファイバテープ心線、５はスロットロッド１の外周に巻回された押さえテープ、６は押さえテープ５の外側に被覆された全周一定厚の外被、７はスロット溝３の特定のための識別マークである。なお、押さえテープ５としては、ケーブル内部を長手方向にわたり透水することを抑止するために、一般的に吸水特性を有した吸水テープが用いられている。
【０００４】
【特許文献１】特開２００２−１４３７８５号公報
【発明の開示】
【発明が解決しようとする課題】
【０００５】
ところで、図４に示した従来のスロット型光ケーブルは、スロット溝３内に光ファイバテープ心線４を収容した状態で、スロットロッド１の外周に押さえテープ５を巻回し、さらにその外側に全周一定の厚さの外被６を被覆した構造をなしているので、例えば、内部の光ファイバテープ心線４の分岐接続を行う場合に作業性が悪かった。
【０００６】
即ち、内部の特定の光ファイバテープ心線４を取り出す場合には、実際のところ、該当する光ファイバテープ心線４の収容されている１つのスロット溝３だけを開放すればよいのであるが、外被６が等しい厚さで周方向に連続しているので、外被６を全周にわたって除去せざるを得ず、従って、それだけ除去作業が面倒であった。更に、スロット溝３を開放するためには、外被６を取り除いた上で、押さえテープ５も除去する必要があるので、その分の手間がかかるという問題があった。また、特定の光ファイバテープ心線４以外の光ファイバテープ心線が露出するため、その保護作業にも手間がかかるという問題があった。また、光ファイバテープ心線４とスロット溝３は一体化されていないため、ケーブル布設後、ケーブルに振動が加わった場合、テープ心線がスロット溝内を長手方向へ移動することで、接続部を収納するクロージャ内へのテープ心線突き出しやクロージャ内のテープ心線がケーブル内部へ引き込まれるテープ心線引き込み現象が発生し、回線異常につながるトラブルが発生する可能性もあり、クロージャ内でテープ心線を固定する作業にも手間がかかるという問題もあった。
【０００７】
本発明は、上記事情を考慮し、分岐接続等の作業を行う上での作業性の向上を図ることのできるスロット型光ケーブルを提供することを目的とする。
【課題を解決するための手段】
【０００８】
上記目的を達成するために、本発明に係る請求項１の発明は、スロットロッドの外周に形成してあるスロット溝に光ファイバを収容し、その状態でスロットロッドの外周に外被を形成してなるスロット型光ケーブルにおいて、前記スロット溝の両側に対応した前記外被上に、スロットロッドの長手方向に延びる外被切り裂き用ノッチを設け、スロット溝単位で外被を除去可能としたことを特徴とする。
【０００９】
また、上記目的を達成するために、本発明に係る請求項２の発明は、スロットロッドの外周に形成してあるスロット溝に光ファイバを収容し、その状態でスロットロッドの外周に外被を形成してなるスロット型光ケーブルにおいて、前記外被を前記スロット溝を含むスロットロッドの外周上に直接形成してなることを特徴とする。
【００１０】
また、上記目的を達成するために、本発明に係る請求項３の発明は、スロットロッドの外周に形成してあるスロット溝に光ファイバを収容し、その状態でスロットロッドの外周に外被を形成してなるスロット型光ケーブルにおいて、前記外被を前記スロット溝を含むスロットロッドの外周上に直接形成すると共に、前記スロット溝の両側に対応した前記外被上に、スロットロッドの長手方向に延びる外被切り裂き用ノッチを設け、スロット溝単位で外被を除去可能としたことを特徴とする。
【００１１】
また、上記目的を達成するために、本発明に係る請求項４の発明は、請求項１〜３のいずれかにおいて、前記スロットロッドと外被を弾性率の比が２以上の同質樹脂で形成したことを特徴とする。
【００１２】
また、上記目的を達成するために、本発明に係る請求項５の発明は、請求項１〜３のいずれかにおいて、前記外被上に、複数ある前記スロット溝のうちの任意のものの特定が可能な識別手段が形成されていることを特徴とする。
【００１３】
また、上記目的を達成するために、本発明に係る請求項６の発明は、請求項１〜５のいずれかにおいて、前記スロット溝内の光ファイバの引き抜き力が５ｋｇ／ｍ以上に設定されていることを特徴とする。
【００１４】
また、上記目的を達成するために、本発明に係る請求項７の発明は、スロットロッドの外周に形成してあるスロット溝に光ファイバを収容し、その状態でスロットロッドの外周に外被を形成してなるスロット型光ケーブルの製造方法において、前記スロット溝に光ファイバを収容すると同時に、スロット溝内部及びスロットロッド外面に熱可塑性樹脂を押し出して前記外被を形成することを特徴とする。
【発明の効果】
【００１５】
請求項１の発明によれば、ノッチ部分で外被を簡単に切り裂くことができる。従って、両側のノッチで挟まれた部分の外被を引き裂くことにより、スロット溝単位で外被を除去することができ、特定のスロット溝のみを開放して、中の光ファイバに対する分岐接続等の作業を簡単に行うことができる。また、特定のスロット溝部分の外被だけしか除去しないですむので、外被除去部分以外のスロット溝部分に収容されている光ファイバの保護作業は必要無くなり、クロージャでの作業も少なくできる。
【００１６】
請求項２の発明によれば、押さえテープの巻き付けを省略したので、光ファイバの露出が容易となり、分岐接続等の作業性が向上する。また、外被をスロット溝を含むスロットロッドの外周上に直接形成してケーブル内部の隙間を埋めているので、押さえテープが有していた吸水特性と同等の透水抑え効果を確保できる。
【００１７】
請求項３の発明によれば、押さえテープの巻き付けを省略したので、光ファイバの露出が容易となり、分岐接続等の作業性が向上する。また、ノッチ部分で外被を簡単に切り裂くことができるので、両側のノッチで挟まれた部分の外被を引き裂くことにより、スロット溝単位で外被を除去することができ、特定のスロット溝のみを開放して、中の光ファイバに対する分岐接続等の作業を簡単に行うことができる。また、特定のスロット溝部分の外被だけしか除去しないですむので、外被除去部分以外のスロット溝部分に収容されている光ファイバの保護作業は必要無くなり、クロージャでの作業も少なくできる。
【００１８】
請求項４の発明によれば、スロットロッドと外被との間に十分な接着性を確保することができると共に、外被を除去する際には高い剥離性を発揮することができる。例えば、スロットロッドと外被の両方をポリエチレンで構成すると、両者が強固に接着し過ぎて、境界面での外被の剥離が困難となるが、両者の材料の弾性率の比率を２以上に設定することにより、接着性を損なわずに剥離性も良くすることができる。従って、透水抑え効果と除去容易性の両方を確保することができる。
【００１９】
請求項５の発明によれば、外被上に識別手段を設けたので、外被上から任意のスロット溝を識別することができ、作業の容易化を図ることができる。
【００２０】
請求項６の発明によれば、スロット溝内の光ファイバの引き抜き力を５ｋｇ／ｍ以上に設定したので、スロット溝内で光ファイバの移動を防止することができる。
【００２１】
請求項７の発明によれば、スロット溝に光ファイバを収容すると同時に、スロット溝内部及びスロットロッド外面に熱可塑性樹脂を押し出して外被を形成するので、製造容易である。
【発明を実施するための最良の形態】
【００２２】
以下、図面に基づいて本発明の好適な実施の形態を説明する。
図１は一実施の形態のスロット型光ケーブルの構成を示し、（ａ）は断面図、（ｂ）は斜視図である。
このスロット型光ケーブルは、中心に抗張力体２を配したスロットロッド１の外周に形成してある螺旋状のスロット溝３に複数の光ファイバテープ心線（その他に光ファイバ心線でもよく、本明細書中では総称して光ファイバと言う）４を収容し、その状態でスロットロッド１の外周に熱可塑性樹脂よりなる外被６を形成したものであり、その特徴点は、外被６をスロット溝３を含むスロットロッド１の外周上に直接形成すると共に、スロット溝３の両側に対応した外被６上に、スロットロッド１の長手方向に延びる外被切り裂き用ノッチ８を設け、スロット溝３単位で外被６を除去可能とした点にある。
【００２３】
この場合、スロットロッド１と外被６は、弾性率の比が２以上の同質樹脂（例えば、ポリエチレン）で形成してある。また、外被６上には、複数あるスロット溝３のうちの任意のものの特定が可能な識別マーク（識別手段）１７が形成してある。また、スロット溝３内の光ファイバテープ心線４はそのスロット溝３内からの引き抜き力が５ｋｇ／ｍ以上となるように設定されている。
なお、図３は、スロット溝３内の光ファイバテープ心線４の引き抜き力の実測結果を示したもので、複数の光ファイバテープ心線の何れの場合も、従来のスロットレス構造品に較べて引き抜き力が高いことを表している。
【００２４】
このスロット型光ケーブルを製造する場合、スロットロッド１のスロット溝３に光ファイバテープ心線４を収容すると同時に、スロット溝３の内部及びスロットロッド１の外面に熱可塑性樹脂を押し出して外被６を形成する。こうすることで、図示のスロット型光ケーブルが得られる。
【００２５】
このスロット型光ケーブルにおいて、いずれかのスロット溝３内の光ファイバテープ心線４を外部に引き出す場合には、図２に示すように、該当するスロット溝３の両側のノッチ８部分で外被６を切り裂く。そうすると、スロット溝３単位で簡単に外被６を除去することができるので、特定のスロット溝３のみを開放して、中の光ファイバテープ心線４を露出させることができ、分岐接続等の作業を簡単に行うことができる。また、特定のスロット溝３部分の外被６だけしか除去しないですむので、外被除去部分以外のスロット溝部分に収容されている光ファイバの保護作業は必要無くなり、クロージャでの作業も少なくできる。この実施の形態では、従来使用していた押さえテープの巻き付けを省略したので、光ファイバテープ心線４の露出が容易であり、その点からも、分岐接続等の作業性が向上する。また、外被をスロット溝を含むスロットロッドの外周上に直接形成してケーブル内部の隙間を埋めているので、押さえテープが有していた吸水特性と同等の透水抑え効果を確保できる。
【００２６】
この場合、スロットロッド１と外被６は、弾性率の比が２以上の同質樹脂で形成してあるので、スロットロッド１と外被６との間に十分な接着性を確保することができると共に、外被を除去する際には高い剥離性を発揮することができる。また、外被６上に識別マーク１７を付してあるので、外被６上から任意のスロット溝３を識別することができ、作業の容易化を図ることができる。また、スロット溝３内の光ファイバテープ心線４の引き抜き力は、図３に示したように、５ｋｇ／ｍ以上に設定してあるので、ケーブル布設後、たとえケーブルに振動が加わった場合でも光ファイバテープ心線４の長手方向にわたる移動は発生しないため、クロージャ内でテープ心線を固定する作業も省略することができる。
【００２７】
なお、上記実施の形態では、外被６にノッチ６を入れることと、押さえテープを省略して外被６を直接スロットロッド１の外周に被覆することの両方を実施した例を示したが、どちらかのみを単独で実施してもよい。その場合でも、ある程度の作業性の向上を図ることはできる。
【実施例】
【００２８】
次にスロットロッド１の材料と外皮６の材料の弾性率の比の違いによる外被６の引き裂き易さについての実験結果について簡単に述べる。表１は外被材料とスロット材料の組み合わせ、弾性率の比率、引き裂き易さについての検証結果を示している。この結果から、弾性率の比率が２以上であれば、満足な引き裂きやすさが確保できることがわかる。
【００２９】
【表１】
2006003774.tif 000003
【図面の簡単な説明】
【００３０】
【図１】本発明の一実施の形態のスロット型光ケーブルの構成図で、（ａ）は断面図、（ｂ）は斜視図である。
【図２】一実施の形態のスロット型光ケーブルの外被の一部を除去して１つのスロット溝を開放した状態を示す図である。
【図３】光ファイバテープ心線の単位長当たりの引き抜き力の実測結果を示す図である。
【図４】従来のスロット型光ケーブルの一例を示す断面図である。
【符号の説明】
【００３１】
１  スロットロッド
３  スロット溝
４  光ファイバテープ心線
６  外被
８  ノッチ
１７  識別マーク
【図１】
2006003774.tif 000004
【図２】
2006003774.tif 000005
【図３】
2006003774.tif 000006
【図４】
2006003774.tif 000007